(57)【要約】【課題】ネクタイを、それの大剣の表側に所定の色柄・模様が付設された状態と、その付設された模様・色柄の一部に、所望の趣向に応じた別の絵柄・色柄・模様を表出させた状態とに切り替え自在に構成する。【解決手段】大剣１と、中継ぎ２と、小剣３とが、一本の狭い巾の帯状に連続するネクタイＡにおいて、大剣１には、それの裏面側に設けられる小剣通し４を目安に、それの上方部位と下方部位とに、該大剣１を表裏に貫通する横方向の二本の切れ目ａ・ｂを、間隔Ｄをおいて上下に一対に対向するよう形設し、かつ、それら切れ目ａ・ｂは、それぞれ小剣３を挿通可能とする巾に設定し、小剣３には、それの外面側に、大剣１の表側に付設の模様・絵柄と異なる模様・絵柄を付設しておく。【選択図】図１０
0003122964.tif 000002
【実用新案登録請求の範囲】
【請求項１】
シャツの前面側に垂れ下げる巾広の大剣１と、シャツのカラーの回りに巻き付け前面側に結び目を作る細巾の中継ぎ２と、大剣１の裏面側に重合させて垂れ下げる稍細い巾の小剣３とが、一本の狭い巾の帯状に連続するネクタイＡにおいて、大剣１には、それの裏面側に設けられる小剣通し４を目安に、それの上方部位と下方部位とに、該大剣１を表裏に貫通する横方向の二本の切れ目ａ・ｂを、間隔Ｄをおいて上下に一対に対向するよう形設し、かつ、それら切れ目ａ・ｂは、それぞれ小剣３を挿通可能とする巾に設定し、小剣３には、それの外面側に、大剣１の表側に付設の模様・絵柄と異なる模様・絵柄を付設しておくことを特徴とするネクタイ。
【請求項２】
小剣３の外面側に付設する大剣１の表側の模様・絵柄と異なる模様・絵柄を、別生地により小剣３の外周に挿脱自在に嵌挿する鞘状に成形した筒袋７の外面に付設し、その筒袋７を小剣３の外周に被せて、小剣３と共に大剣１の切れ目ａ・ｂに通し、筒袋７外面の模様・絵柄を大剣１の前面に表出させるようにしたことを特徴とする請求項１記載のネクタイ。
【請求項３】
別生地により小剣３の外周に挿脱自在に嵌挿する鞘状に成形する筒袋７を、軸方向に長く形成し、それの外周面に、大剣１の外面に付設の色柄・模様と異なる色柄・模様を付設し、大剣１には小剣３を挿通してそれの一部を大剣１の前面に表出させる上下に一対の切れ目ａ・ｂを、大剣１の上下方向における複数個所に開設しておくことを特徴とする請求項１または請求項２記載のネクタイ。
【考案の詳細な説明】
【技術分野】
【０００１】
本考案は、布地・編物・織物により狭い巾の帯状に形成して、シャツのカラーの回りに巻き付け前で結び垂れ下げ衿飾りとするネクタイにおいて、大剣の前面に表出する色柄を変更可能としたネクタイに関する。
【背景技術】
【０００２】
布地・編物等により狭い巾の帯状乃至リボン状に成形して、シャツの衿の回りに巻き、前で結びシャツの前面に垂れ下げて衿飾りとするネクタイは、通常、図１に示しているように、巾広の大剣１と、細巾の中継ぎ２と、稍細巾の小剣３とが、一本の細帯状に連続する形状のものとして作られる。
【０００３】
巾広の大剣１は、ネクタイＡを締めたときに、衿元からシャツの前面に垂れ下げて飾りとなるネクタイＡの主体部で、飾りとするための、絵柄・色柄・模様が前面に施される。
【０００４】
中継ぎ２は、ネクタイＡを締めるときに、シャツの衿の回りに巻き、衿元に結び目をつくる部分で細い巾の帯紐状に形成される。
【０００５】
小剣３は、結び目を形成した中継ぎ２の先に連続するネクタイＡの端末の部分であるが、着装したときに、大剣１の裏面側に、その大剣１と略揃う長さに垂れ下がるよう稍細巾の帯紐状に形成される。そして、この小剣３は、巾広の大剣１の裏面側の上下の略中間部位に、別の布地で細巾の帯紐状に形成されてバンド通しのように取り付けておく小剣通し４に挿し通して垂れ下げることで、上下の中間部がこの小剣通し４に保持された状態として、大剣１の裏面側に重合した状態で垂れ下げるようにする。
【０００６】
このような形態のものとして作られるネクタイＡは、その殆どのものがレディーメイドのもので、それの大剣１の表面に付設される絵柄・色柄・模様は、メーカーの側において施され、使用する人は、店に並べられたネクタイの中から気に入った色柄・模様のものを選択して購入し、それを使用するようにしているが、実際には幾種類もの模様・絵柄の異なるネクタイを多数本購入して所有していて、締めるときは、その中から季節・会合等に適応する模様・絵柄のものを選んで締めるようにしている。
【０００７】
しかし、レディーメイドであることから、その絵柄・色柄・模様には、締める人の好み、趣向と一致するものが無い場合がある。例えば、白寿の祝いの席に臨むとき、慶祝の式事の際に用いる白絹の白地のネクタイそのままではなく、その白地のネクタイに、ピンクのハートの絵柄をあしらった趣向で臨みたいときに、そのようなネクタイは既製品にはなく、売られていないことである。
【０００８】
また、気に入った絵柄・色柄・模様のネクタイでも、それを締めるときの季節・時刻によっては、季節に適う花柄をあしらったものとして用いたい場合がある。
【考案の開示】
【考案が解決しようとする課題】
【０００９】
解決しようとする課題点は、ネクタイを、それの大剣の表側に所定の色柄・模様が付設された状態と、その付設された模様・色柄の一部に、所望の趣向に応じた別の絵柄・色柄・模様を表出させた状態とに切り替え自在に構成する点にある。
【課題を解決するための手段】
【００１０】
本考案においては、上述の課題を解決するための手段として、シャツの前面側に垂れ下げる巾広の大剣１と、シャツのカラーの回りに巻き付け前面側に結び目を作る細巾の中継ぎ２と、大剣１の裏面側に重合させて垂れ下げる稍細い巾の小剣３とが、一本の狭い巾の帯状に連続するネクタイＡにおいて、大剣１には、それの裏面側に設けられる小剣通し４を目安に、それの上方部位と下方部位とに、該大剣１を表裏に貫通する横方向の二本の切れ目ａ・ｂを、間隔Ｄをおいて上下に一対に対向するよう形設し、かつ、それら切れ目ａ・ｂは、それぞれ小剣３を挿通可能とする巾に設定し、小剣３には、それの外面側に、大剣１の表側に付設の模様・絵柄と異なる模様・絵柄を付設しておくことを特徴とするネクタイを提起するものである。
また、これに併せて、小剣３の外面側に付設する大剣１の表側の模様・絵柄と異なる模様・絵柄を、別生地により小剣３の外周に挿脱自在に嵌挿する鞘状に成形した筒袋７の外面に付設し、その筒袋７を小剣３の外周に被せて、小剣３と共に大剣１の切れ目ａ・ｂに通し、筒袋７外面の模様・絵柄を大剣１の前面に表出させるようにしたことを特徴とするネクタイを提起し、さらに別生地により小剣３の外周に挿脱自在に嵌挿する鞘状に成形する筒袋７を、軸方向に長く形成し、それの外周面に、大剣１の外面に付設の色柄・模様と異なる色柄・模様を付設し、大剣１には小剣３を挿通してそれの一部を大剣１の前面に表出させる上下に一対の切れ目ａ・ｂを、大剣１の上下方向における複数個所に開設しておくことを特徴とするネクタイを提起するものである。
【考案の効果】
【００１１】
本考案によるネクタイＡは、それを締めたときに、小剣３を、大剣１に設けた切れ目ａ・ｂに挿通させないで、大剣１の裏面側に設けてある小剣通し４に通して垂れ下げれば、大剣１の表面側に設けた色柄・模様のネクタイとなり、小剣３を、大剣１の裏側から切れ目ａに通し、切れ目ｂを介し裏側に戻すか、それに被せた筒袋７ごと大剣１の裏側から切れ目ａに通し、切れ目ｂから大剣１の裏側に戻して垂れ下げた状態とすれば、大剣１の表側の切れ目ａと切れ目ｂとの間の部分に、小剣３に付した絵柄・模様または、小剣３に被せた筒袋７の外面に付設しておいた絵柄・色柄・模様が表出されてきて、その絵柄・色柄・模様が、大剣１の表側の色柄・模様の中にあしらわれた態様となるから、ネクタイＡを色柄・模様の態様を切り替えて使用できるようになる。
【考案を実施するための最良の形態】
【００１２】
次に本考案手段の実施の態様を実施例につき図面に従い詳述する。
【実施例１】
【００１３】
図３および図４は、本考案を実施せるネクタイＡを示し、図３はそのネクタイＡの正面図、図４は同上の背面図である。
【００１４】
図において、１は大剣、２は中継ぎ、３は小剣、４は小剣通し、５は大剣１の下端に形成した額縁、ａは大剣１に設けた上位の切れ目、ｂはこれに対向させて大剣１に形成した下位の切れ目、１ａはネクタイ地、１ｂは芯材とした裏地、ｃは大剣１の表面に付設した絵柄・色柄・模様、ｄは小剣３の表面に付設した絵柄・色柄・模様を示す。
【００１５】
ネクタイＡは、絵柄・色柄・模様が捺染または織り込まれた布地１ａを、細い巾の帯状に裁断して、芯材とする裏地１ｂを重ね、その裏地１ｂを包み込むように両側縁を折り返し、突き合わせたその両側縁を縫い合わせることで、巾広の大剣１と、細巾の中継ぎ２と、稍細巾の小剣３とが一本の細帯状に連続する通常のネクタイの形態に形成されてあり、大剣１の裏側の上下の中間部には、小剣３を通すためのとめバンド状の小剣通し４が取り付けてある。
【００１６】
大剣１には、それの前面に、布地１ａに捺染または織り込みにより形成した絵柄・色柄・模様ｃが付設され、小剣３には、大剣１の絵柄・色柄・模様ｃと異なる絵柄・色柄・模様ｄが付設されている。
【００１７】
これら絵柄・色柄・模様ｃ・ｄは、この実施例においては、布地１ａを、大剣１を成形するための部分と小剣３を成形するための部分とに切り離し、それらに別々の模様・絵柄を施し、それを接ぎ合わせることで、大剣１の部分に付設する絵柄・色柄・模様ｃと小剣３の部分に付設する絵柄・色柄・模様ｄとが、それぞれ異なる態様となるようにしている。
【００１８】
大剣１に小剣３を挿通可能に設ける上下に一対の横方向の切れ目ａ・ｂは、それの上位の切れ目ａにあっては、下向きの円弧状をなす形状とし、下位の切れ目にあっては、上向きの円弧状をなす形状として、大剣１の裏面側の上下の略中間部位に設けられる小剣通し４を目安に、その小剣通しの上方部位と下方部位とに、上下に少しの間隔Ｄをおいて、それぞれ開設してある。
【００１９】
そして、この小剣３を挿通するよう形設する上下に一対の切れ目ａと切れ目ｂとは、この例においては、さらに、大剣１の上方部位の衿元の近くにも、もう一組の切れ目ａ・ｂとして開設してある。
【００２０】
この実施例のネクタイＡは、それを締めるとき、結び目を経て垂れ下がる小剣３を、大剣１の裏側に設けた小剣通し４に通して垂れ下げれば、大剣１に設けた絵柄・色柄・模様のネクタイとなり、小剣３を大剣１の上下の中間部に設けた上位の切れ目ａに通して、大剣１の表側に出し、下位の切れ目ｂから大剣１の裏側に戻して垂れ下げれば、大剣１の表側の絵柄・色柄・模様ｃの中で、切れ目ａと切れ目ｂとの間の部分に、小剣３の表面に付設した絵柄・色柄・模様が表出してきて、大剣１の表面の絵柄・色柄・模様を変更させたものとなる。
【００２１】
また、結び目から垂れ下がる小剣３を、大剣１の衿元の近くに設けた切れ目ａ・ｂにも挿通させたときは、大剣１の表面には、図５にあるように、衿元の近くと、中間部との２個所に、異なる絵柄・色柄・模様ｄが表出されてくるようになり、ネクタイＡの絵柄・色柄・模様による印象・趣向を一変させる。
【実施例２】
【００２２】
次に、図６乃至図１１は、別の実施例を示している。
この例は、ネクタイＡを、巾広の大剣１と細い巾の中継ぎ２と稍細巾の小剣３とが一本に連続する形態のものに形成し、大剣１には、小剣３を挿通可能とする上下に一対の切れ目ａ・ｂを設けた構成態様に構成することについては前述の実施例と同様であるが、小剣３に、大剣１の表面に付設した絵柄・色柄・模様ｃと異なる絵柄・色柄・模様ｄを付設するのに、別生地７ａにより、図７にあるように、小剣３の外周に鞘状に被さる筒袋７を形成して、これの周面に異なる絵柄・色柄・模様ｄを付設しておき、この筒袋７を図９、図１０に示しているように小剣３に嵌挿することにより、小剣１に異なる絵柄・色柄・模様ｄを付設するようにしている例である。
【００２３】
筒袋７は、小剣３の外周に嵌挿して被せたとき、小剣３に縫い付けてとじあわせるが、その縫いあわせは、仮とじ程度にしておいて、さらに別に用意しておく筒袋７と互換できるようにしておくことが望ましい。
【００２４】
また、この筒袋７の周面に捺染または織り込みにより付設する絵柄・色柄・模様ｄは、図８にあるように、上部側にはピンクのハートの絵柄ｄを付し、下部側には家紋をあしらった絵柄ｄ’を付すなど、上部側と下部側とにそれぞれ異なる模様・絵柄を付すようにしてよい。
【００２５】
これにより、例えば、大剣１を白絹の布地で仕立て、これに上述の筒袋７を組み合わせてネクタイＡを構成するようになれば、筒袋７を被せた小剣３を、大剣１の衿元の近くの部位に開設した一対の切れ目ａ・ｂと、上下の中間部位に設けた一対の切れ目ａ・ｂとに通して締めることで、図１１にあるように、慶祝用に用いられるものとして白絹の白地で仕立てたネクタイの大剣１の衿元の近くに、ハートの絵柄が表出され、中間部位に家紋をあしらった紋様が表出されるようになることで、白寿の祝いの会席にふさわしい趣向のものとなる。また、小剣３を切れ目ａ・ｂには通さないで、小剣通し４に通して垂れ下げることで、通常の慶祝用の白地のネクタイとして用いられるようになる。
【図面の簡単な説明】
【００２６】
【図１】通常のネクタイの正面図である。
【図２】同上ネクタイの背面図である。
【図３】本考案を実施せるネクタイの正面図である。
【図４】同上ネクタイの背面図である。
【図５】同上ネクタイの小剣を大剣の切れ目に挿通した状態の説明図である。
【図６】本考案を実施せるネクタイの、別の実施例の正面図である。
【図７】同上実施例のネクタイの背面図である。
【図８】同上実施例のネクタイに組み合わせて用いる筒袋の、組み合わせる前の状態における斜視図である。
【図９】同上実施例のネクタイの筒袋を、ネクタイの小剣の外周に嵌挿していく工程の説明図である。
【図１０】同上ネクタイの筒袋を、ネクタイの小剣に嵌挿した状態の説明図である。
【図１１】同上のネクタイの、筒袋を被せた小剣を、大剣の切れ目に挿通した状態の説明図である。
【符号の説明】
【００２７】
Ａ…ネクタイ、ａ・ｂ…切れ目、ｃ…大剣の表面に付設した絵柄・色柄・模様、ｄ・ｄ’…小剣の表面に付設した絵柄・色柄・模様、１…大剣、１ａ…ネクタイ地、１ｂ…裏地、２…中継ぎ、３…小剣、４…小剣通し、５…額縁、７…筒袋、７ａ…別生地。
【図１】
0003122964.tif 000003
【図２】
0003122964.tif 000004
【図３】
0003122964.tif 000005
【図４】
0003122964.tif 000006
【図５】
0003122964.tif 000007
【図６】
0003122964.tif 000008
【図７】
0003122964.tif 000009
【図８】
0003122964.tif 000010
【図９】
0003122964.tif 000011
【図１０】
0003122964.tif 000012
【図１１】
0003122964.tif 000013